(57)【要約】【課題】  本発明は、なりゆき人生を排除するために、自己の生存目標年齢や残された人生の持ち時間の全容を日々に認識し、自分がいま人生のどの位置にどのような状況にあるかを常に検証・調整しながら歩むための、人生管理に関する人生時計を提供する。【解決手段】  図１のアナログの時計本体に年齢表示部（２）を設け、年齢表示部（２）に１歳から１２０歳を意味する１から１２０の目盛り（４）を設け、１から１２０の数字（３）および１から１２０数字（３）の飛数字を設け、年齢表示部（２）に対応した生存目標年齢針を設け、現在年齢針を設けたことを特徴とする人生時計。  図２のアナログ時計および図３のデジタル時計に、デジタルの生存目標年齢表示部（７）を設け、デジタルの現在年齢表示部（８）を設け、デジタルの残存年齢表示部（９）を設けた人生時計。【選択図】  図１
2005321418.tif 000002
【特許請求の範囲】
【請求項１】
１歳から１２０歳の年齢を意味する１から１２０の数字および１から１２０の目盛りからなる年齢表示部を設けたことを特徴とするアナログ人生時計。
【請求項２】
生存目標年齢針を設け、現在年齢針を設けた請求項１のアナログ人生時計。
【請求項３】
生存目標年齢表示部を設け、現在年齢表示部を設け、残存年齢表示部を設けたことを特徴とするデジタル人生時計。
【発明の詳細な説明】
【発明の詳細な説明】
【技術分野】
【０００１】  ２１世紀に入り人生１００年の長寿社会を迎えている。また、人間は１２０歳まで生きられる超長寿社会が推測されている。ところが、そういった現況に対応した人生時計は開発されていなかった。しかしながら、健康長寿で充実した生涯を実現するには、健康や生計、仕事や生き方など自己人生の全容、全生涯を常に自覚しながら生きることによって、なりゆき人生を排除しなければならない。
また、進展する長寿社会にあって国家的にも「医療費の高騰」という重要課題に対処するためにも、国民一人ひとりが老化を食い止め、さまざまな病気の発症を未然に防ぐには、健康長寿に対する健康管理は、なりゆき任せにすることはできない必須の命題である。
本発明は、このような、なりゆき人生を排除するために自己の生存目標年齢を設定し、自己人生の持ち時間を認識し、自分がいま人生のどの位置に、どのような状況にあるかを常に検証・調整、全生涯を自覚しながら歩むための生涯現役、健康長寿時代に対応した年齢表示部を設けた人生時計に関するものである。
【背景技術】
【０００２】  従来、２４時間時計はあっても、１００歳、１２０歳を生存目標とする年齢表示部を設けた人生管理時計はなかった。このため多くの人々の人生は２４時間時計による１日単位の時間管理が中心で、定年後あるいは６０歳以後の人生本番、人生の総仕上げ時代を視野に入れた全生涯を自覚・展望する人生管理に関する認識は一般にはなかつた。
また、全生涯といっても一般に日本人は、その平均寿命である８０歳前後を生存目標年齢に経済的な生活設計を立てる程度で、長寿社会に対応した１００歳、１２０歳を視野に入れた人生管理の発想はなかった。
【発明の開示】
【発明が解決しようとした課題】
【０００３】  そのために、つぎのような問題点があった。
人生１００歳の長寿社会を迎え、１２０歳まで生きられることが推測される超長寿社会において、これまでのような、２４時間時計による１日単位の時計では、人生の全容を一望することができないため全生涯を自覚し、自分がいま人生のどの位置にどのような状況にあるかを検証、未来に向って人生を調整・管理することはできなかった。
本発明は、以上の問題点を解決しようとするものである。
【問題を解決するための手段】
【０００４】  時計本体に、年齢表示部を設け、年齢表示部に１歳から１２０歳を意味する１から１２０の目盛りおよび１から１２０の数字および飛数字を設け、年齢表示部に対応した、生存目標年齢針を設け、現在年齢針を設ける。
また、生存目標年齢表示部を設け、現在年齢表示部を設け、残存年齢表示部を設ける。
以上を特徴とする人生時計である。
【発明の効果】
【０００５】  本発明は、生存目標年齢および１２０歳までの人生の持ち時間の全容が一瞬にして認識できる。このため、全生涯を日々に自覚することができ、自分がいま人生のどの位置に、どのような状況にあるかを考察、未来に向って日々に人生管理を促すことができる。
この人生時計は、既存の時計本体の仕組みと自然な形で適合できるため、特殊な時計の印象はなく、簡便で使いやすく、人々に受け入れやすいものである。
【発明を実施するための最良の形態】
【０００６】  以下、本発明の実施の形態を説明する。
図１は、アナログ時計にアナログ表示の人生時計を設けたものであり、図２は、アナログ時計にデジタル表示の人生時計を設けたものであり、図３は、アナログ時計にアナログ表示の人生時計を設けたものである。この人生時計には、腕時計、置時計、掛時計、コンピュータおよびデジタル媒体および記録媒体に設けた人生時計などがある。【０００７】（イ）図１のアナログの時計本体（１）の円周に、年齢表示部（２）を設ける。
（ロ）年齢表示部（２）に、１歳から１２０歳の年齢を意味する、１から１２０の数字（３）および飛数字を設ける。
（ハ）年齢表示部（２）に、１歳から１２０歳を意味する、１から１２０の目盛りを設ける。
（ニ）年齢表示部に対応した、生存目標年齢針（５）を設ける。
（ホ）年齢表示部に対応した、現在年齢針（６）を設ける。
本発明は、以上の構成よりなっている。
本発明を使用するときは、まず自己の生存目標年齢を設定する。１００歳あるいは１２０歳など、できるだけ高齢・長寿を目標にすると夢や希望が持てるようになる。
生存目標年齢針（５）を、自己の生存目標年齢に該当する年齢表示部（２）の目盛り（４）および数字（３）に合わせる。
現在年齢針（６）を、自己の現在年齢に該当する年齢表示部（２）の目盛り（４）および数字（３）に合わせる。
これにより、自ずと自己の残存年齢が目測できるため、日々に残された自己の未来人生の時間の全容を一望し、生死に目覚めて人生の意味を知り、人生に真剣に取り組むことができるので、自己人生を有効に管理することができる。
その結果、なりゆき人生を排除、真に充実した感動的な生涯現役、健康長寿の人生が実現できるのである。
この人生時計を動かすときは、生存目標年齢針（５）は手動で設定する。現在年齢針（６）は、当初は手動設定し、その後は１年に一目盛りづつ移動、自動設定および手動設定する。
このアナログの人生時計の特徴は、１２０の目盛りにより、１２０年の人生の時間の全容が明瞭に示されているため、常に全生涯を視野に入れて自覚的に生きることができる。【０００８】（イ）図２のアナログの時計本体（１）および図３のデジタルの時計本体（１）に、デジタルの生存目標年齢表示部（７）を設ける。
（ロ）図２のアナログの時計本体（１）および図３のデジタルの時計本体（１）に、デジタルの現在年齢表示部（８）を設ける。
（ハ）図２のアナログの時計本体（１）および図３のデジタルの時計本体（１）に、デジタルの残存年齢表示部（９）を設ける。
本発明は、以上の構成よりなっている。
本発明を使用するときは、生存目標年齢表示部（７）に、自己の生存目標年齢を設定・表示する。現在年齢表示部（８）に、自己の現在年齢を設定・表示する。残存年齢表示部（９）に、自己の生存目標年齢から現在年齢を差し引いた年齢を残存年齢として設定・表示する。
この人生時計を動かすときは、生存目標年齢表示部は手動で設定・表示する。現在年齢表示部（８）は、当初は手動で、その後は１年に１歳づつ増数、自動設定・表示および手動設定・表示する。残存年齢表示部（９）は、生存年齢目標表示部（７）および現在年齢表示部（８）に連動して、自動的に設定・表示および手動設定・表示する。
このデジタルの人生時計の特徴は、それぞれの人生年齢が片時も忘れることなく、また一瞬にして認識できるため、人生の持ち時間を大切にする自覚を促すには最適である。
【図面の簡単な説明】
【０００９】
【図１】アナログの時計に設けたアナログ表示の人生時計の正面図
【図２】アナログの時計に設けたデジタル表示の人生時計の正面図
【図３】デジタルの時計に設けたデジタル表示の人生時計の正面図
【符号の説明】
【００１０】    １  時計本体
２  年齢表示部
３  数字
４  目盛り
５  生存目標年齢針
６  現在年齢針
７  生存目標年齢表示部
８  現在年齢表示部
９  残存年齢表示部
【図１】
2005321418.tif 000003
【図２】
2005321418.tif 000004
【図３】
2005321418.tif 000005